(57)【特許請求の範囲】
【請求項１】
自動車に設置してある少なくとも１つのソーラーモジュール（１）を介して得られる太陽エネルギーを、停車時に自動車のバッテリ（４）の充電と同時に車室の換気を行う停車時換気システム（６）の運転に利用し、
停車時の走行開始直前に、車両の走行時にも使用可能な空調システム（７）を前記バッテリ（４）に加えて前記太陽エネルギーで始動することによって自動車の車室を空調することを特徴とする自動車の停止時空調法。
【請求項２】
停車時空調システム（７）として、ＣＯＰ（動作係数）が３−５の低出力空調システムを利用することを特徴とする請求項１に記載の自動車の停止時空調法。
【請求項３】
前記空調システム（７）は、自動車のエンジンによって駆動される車両空調装置を停車時空調のためにエンジンから接離し、低出力運転状態で使用することを特徴とする請求項１に記載の自動車の停止時空調法。
【請求項４】
前記ソーラーモジュール（１）と停車時換気システム（６）及び空調システム（７）とを、優先的にバッテリ（４）がソーラーモジュール（１）によって充電されるように作用するエネルギー分配ユニット（２）を介して接続し、
前記エネルギー分配ユニット（２）とバッテリ（４）との間にバッテリ（４）からエネルギー分配ユニット（２）への給電に関してバッテリ（４）をエネルギー分配ユニット（２）から切離する断路ユニット（３）を配置し、
停車時でバッテリ（４）が完全充電状態の場合、バッテリ（４）およびソーラーモジュール（１）からエネルギーを停車時換気システム（６）および空調システム（７）に送り、
バッテリ（４）が低電圧の場合、バッテリ（４）と停車時換気システム（６）および空調システム（７）との接続を断路することを特徴とする請求項１〜３の１つに記載の自動車の停止時空調法。
【請求項５】
車室の乗員と接触する自動車の部材を空調システム（７）によって特に冷却することを特徴とする請求項１〜４の１つに記載の自動車の停止時空調法。
【請求項６】
走行時には発電機または搭載電源に接続されて全出力で作動し、停車時空調システムとしてソーラーモジュール（１）またはバッテリ（４）に接続されて低出力で作動する電気式空調システム（７）を空調システムとして使用することを特徴とする請求項１に記載の自動車の停止時空調法。
【発明の詳細な説明】
【０００１】
【発明の属する技術分野】
本発明は、自動車（特に、自動車ルーフ）に設置してあり自動車のバッテリの充電にも利用される少なくとも１つのソーラーモジュールを介して得られる太陽エネルギーを利用して空調システムによって自動車の車室を停車時に空調する方法に関する。
【０００２】
【従来の技術】
自動車の車室は、暖かい季節には、停車時、自動車が完全に太陽に曝された場合に特に、不快と感じる程の高温（典型的には６０−８０℃）に熱せられる。
このように熱せられた車室内に乗車した場合、この極めて高い車室温度にもとづき、特に、熱ショックが起きる。対応して高温に熱せられた車両シートは、特に問題である。結果として、背中に極めて不快な汗をかくことになる。この場合、空調システムを運転すれば、健康を損なうことになる。対応して強く熱せられたステヤリングホイルも問題であり、場合によっては、更に、熱せられた計器板も問題である。
【０００３】
強く熱せられた車室内に乗車する際に直ちに、最高出力で換気を行い、場合によっては、エンジン駆動の空調システムを機能させたとしても、上記空調方策によって車室内に耐え得る温度が生ずるまでに数分間が必要である。
従って、運転者および場合によっては同乗者が車室内に入る前に、停止状態の自動車の車室を有効に空調することが、以前から要求されている。この分野において、各種の提案がなされているが、これらの提案には、必要なエネルギー経費に関して問題がある。特に、以下に説明する如く、車室を換気または空調するために太陽エネルギーを利用することが提案されている。
【０００４】
例えば、米国特許第４６５８５９７号には、太陽エネルギーを利用して停車時空調システムによって自動車の車室を停止状態で空調する冒頭に述べた方法が記載されている。この公知の方法は、ソーラーモジュールによって得られた太陽エネルギーを、第１に、即ち、優先的に、公知の態様で冷空気を車室内に送る停車時空調システムの運転に利用するよう、構成されている。
停車時空調システムの運転時に、なおエネルギーが残っている場合は、このエネルギーを自動車のバッテリに適切に供給して上記バッテリを充電する。更に、自動車のバッテリは、停車時空調システムの運転には関与しない。停車時空調システムを始動する条件は、車室内の温度が閾値を越えることにある。他の場合には、停車時空調システムは賦活されない。この公知の方法の場合、停車時空調システムの給電がソーラーモジュールのみから行われるという問題がある。
【０００５】
この米国特許公報の出願日には、妥当な効率の従来の停車時空調システムを運転するのに十分な出力を有するソーラーモジュールは得られていなかった。現在も、例えば自動車のルーフに使用できるソーラーモジュールは、最大１５０Ｗの出力を有するに過ぎず、一方、この米国特許の出願時点に得られるような空調システムの消費電力は、少なくとも７−８ｋＷである。現在得られるような高効率の空調システムを使用しても、このコンセプトは実現できない。なぜならば、自動車に関連して使用できるソーラーモジュールは、太陽にさらされた車室内に現れる最高８０℃の温度を十分に低下できるように空調システムを十分に長時間運転するのに必要な電力を供給できないからである。
【０００６】
自動車の車室を空調する他の方策として、例えば、特開昭５８−６７５１０号公報，特開昭５８−６７５１１号公報および特開昭６０−５３４２３号公報には、自動車のルーフのソーラーモジュールの太陽エネルギーによって、外気を、好ましくは、自動車の下面から車室内に吸引し温空気を自動車の換気スリットから押出す車室換気用ベンチレータを運転することが記載されている。最初に挙げた２つの公報には、更に、上記の太陽電流作動式ファンによって車室内に送られる空気流によって車室の部材、即ち、シートおよびステヤリングホイルを含むステヤリングコラムを冷却することが記載されている。この方策によって、少なくとも、より低温の空気を車室内に直接に供給すれば、乗車前に車室の内部温度を約２０−３０℃だけ低下でき、即ち、直接に太陽照射を受けた際の車室の８０℃の温度から出発して５０−６０℃の温度に低下できる。しかしながら、車室内のこの最終温度は、車室内の運転者および同乗者が快適に感ずるのには不十分である。
【０００７】
【発明が解決しようとする課題】
本発明は、上記先行技術を考慮して、停車時に強い太陽照射を受けた車室を乗車前に快適な温度に冷却でき、しかも、この冷却に関与する給電ユニットを過負荷状態とすることないよう、自動車の車室の冒頭に述べた停車時空調法を構成することを課題とする。
【０００８】
【課題を解決するための手段】
この課題は、請求項１の特徴記載部分に開示の特徴によって解決される。
すなわち、本発明は、自動車（特に、自動車ルーフ）に設置してあり自動車のバッテリの充電にも利用される少なくとも１つのソーラーモジュールを介して得られる太陽エネルギーを利用して空調システムによって自動車の車室を空調する方法において、太陽エネルギーを、自動車バッテリの充電に加えてまたは充電の代わりに、停車時換気システムの運転にも利用し、走行開始直前に空調システムを始動し、上記空調システムの消費エネルギーの大半を自動車バッテリから引出すことを特徴とする。
【０００９】
本発明にもとづき、空調システムの短時間の運転に必要なエネルギーを十分に供給するため、エネルギーを与えるソーラーモジュールに依拠して、第１に、自動車バッテリを完全に充電するという新規の空調コンセプトを提案する。しかしながら、停車時に空調システムを始動する前に、本発明にもとづき、バッテリ充電と同時に、ソーラーモジュールによって形成された電流の一部を停車時換気システムに給電する。停車時換気システムは、比較的少ないエネルギーを必要とするに過ぎず、従って、バッテリ充電を本質的に損なうことなく、より長時間にわたって、好ましくは、太陽照射の全時間にわたって問題なく運転できる。冒頭に述べた如く、停車時換気システムによって、車室内の温度を２０−３０℃だけ低下できる。次いで、かくして達成された最高５０−６０℃の温度から出発して、比較的短時間に、典型的には約１０分以内に、車室内の温度が、運転者および同乗者に耐えられる程度に低下されるよう、空調システムを効果的に使用できる。
【００１０】
換言すれば、本発明に係るコンセプトにもとづき、主として停車時の車室の空調を行うための空調システムを停車時に短時間運転するのに十分なエネルギー量を提供する。即ち、停車時空調システムの運転に必要なエネルギーは、完全充電のために自動車のバッテリに充電するエネルギーを発生するソーラーモジュールから間接的に得られる。しかしながら、本来の空調前に、本発明にもとづき、空調システムによって、その効率にもとづき、車両エンジンの停止時にも短時間内に車室内に耐え得る温度を達成できるような温度レベルまでまず車室内の高温を低下することを目的として、バッテリ充電と並行して停車時換気システムによる予空調を作動する。
【００１１】
停車時空調システムとして、低出力の空調システム、例えば、ＣＯＰ（動作係数）が３−５の電動式空調システムを使用するのが有利である。即ち、例えば、容量６０Ａｈの１２Ｖバッテリを使用すれば、電気式空調システムの消費電力が１ｋＷの場合（３．．．５ｋＷの冷却能に対応）、停車時の空調システムの約１０分間の運転時に、空調システムの運転のための１５Ａｈ未満のエネルギーを上記バッテリから取出すことができる。
このような低出力の空調システムは、場合によっては、走行中の空調にも利用でき、この場合、空調システムは、公知の態様で、発電機またはエンジンから給電できる。このような低出力の空調システムは、内部スペースの小さい車両の場合には特に、場合によっては、通常の空調システムと置換えることができる。なぜならば、本発明に係る方法によって、良好な予冷却を達成でき、かくして、十分な快適性を達成できるからである。
【００１２】
高効率、低出力の空調システムの代わりに、本発明に係る方法のための停車時空調システムとして、車両の走行時に使用され、このために、車両のエンジンによって駆動される車両空調装置をエンジンから切離し、低出力（例えば、半分の出力）で運転することもできる。この場合、例えば、２シリンダ・コンプレッサの場合、減圧弁の開放または磁気クラッチの開放によって、シリンダを停止できる。もちろん、これは、多重シリンダ・コンプレッサの場合に、１つまたは複数のシリンダの停止にも当てはまる。
【００１３】
不適な条件下において、停車時の空調システムの駆動によって自動車バッテリが過負荷されるのを阻止するため、バッテリが低電圧の場合にバッテリと空調システム及び／又は換気システムとの接続を遮断する断路ユニットを設けるのが有利である。
熱せられた車両シート、熱せられたステヤリングホイルおよび、場合による、熱せられた計器板、即ち、車室内の乗員と接触する部材の問題を克服するため、空調システムによって上記部材を優先的に冷却する。
【００１４】
また、走行時には発電機または搭載電源に接続されて全出力で作動し、停車時空調システムとしてソーラーモジュールまたはバッテリに接続されて低出力で作動する電気式空調システムを空調システムとして使用することができる。
【００１５】
【発明の実施の形態】
以下に、図面を参照して本発明の実施の形態を詳細に説明する。唯一つの図面は、自動車の車室の本発明に係る停車時空調法を実施するたるための装置の略図である。
この装置は、好ましくは自動車のルーフに組込んだソーラーモジュール１を含む。ソーラーモジュール１は、例えば、その負極で自動車にアースされている。ソーラーモジュール１の正極は、エネルギー分配ユニット２を介してこの装置のエネルギー消費部６，７（以下に詳細に説明する）に接続され、他方、それ自体は公知の態様で１つの極（負極）をアースした自動車バッテリ４に接続されている。エネルギー分配ユニット２とバッテリ４との間には、バッテリ４からエネルギー分配ユニット２への給電に関してバッテリ４をエネルギー分配ユニット２から切離す断路ユニット３が設置されている。
【００１６】
エネルギー分配ユニット２は、第１にまたは優先的にバッテリ４がソーラーモジュール１によって充電されるよう作用する。即ち、バッテリ４は、走行時、公知の態様で自動車の発電機を介して充電され、停車時、上記充電は、ソーラーモジュール１によって得られるエネルギーの主部分（例えば、約８０％）によって補足される。エネルギー分配ユニット２は、装置の電流消費部、即ち、エネルギー分配ユニット２、断路ユニット３およびバッテリ４からなるユニットに並列に接続された一方の停車時換気システム６および他方の空調システム７に、バッテリ４の充電に使用されないエネルギー部分を直接に送る。
【００１７】
エネルギー分配ユニット２の直後には、車室の所定温度（例えば、２５℃）以下において換気システム６および停車時空調システム７をバッテリ４およびエネルギー分配ユニット２から断路するサーモスイッチ５が設けてある。所定温度を超えると、システム６，７が、バッテリ４および／または太陽電池１からエネルギー供給を受ける。
サーモスイッチ５の所定の目標値の代わりに、車両の自動空調機に設定された温度の目標値を利用することもできる。サーモスイッチ５は、空調システム７の運転だけに影響を与えれば最適であり、停車時換気システム６は、サーモスイッチとは無関係に運転される。
【００１８】
装置は、停車時、バッテリ充電と並行して、まず、停車時換気システム６を作動して、停車時換気システム６によって（冷）新鮮空気を車室内に吸引し且つ温空気を換気スリットを介して車室から押出すことによって、車室内の温度を約２０−３０℃だけ低下するよう、構成されている。
バッテリ４が、その完全充電状態に達すると直ちに、エネルギー分配ユニット２が、ソーラーモジュール１によって形成された全エネルギーを停車時換気システム６に切換え、かくして、その出力が明らかに増大し、従って、日射の強い場合に、停車時空調システム７の始動前に、２０．．．３０℃の所望の温度低下が高い確率で保証される。同乗者または運転者が車室に入る直前（走行開始の少し前）に、時限素子制御によってまたは遠隔制御によって空調システム７を始動し、この場合、空調システムの運転を典型的には約１０分間続け、次いで、バッテリ４保護のために空調システム７をオフする。停車時換気システム６の予空調によって、停車時空調システム７は、上記時間内に、車室内の温度を快適なレベルに低下でき、しかも、車両エンジンのスタート性が損なわれることはない。
【００１９】
【発明の効果】
本発明によれば、停車時に強い太陽照射を受けた車室を乗車前に快適な温度に冷却でき、しかも、この冷却に関与する給電ユニットを過負荷状態とすることもない。
【図面の簡単な説明】
【図１】本発明に係る停車時空調法を実施するための装置の略図である。
【符号の説明】
１  ソーラーモジュール
２  エネルギー分配ユニット
３  断路ユニット
４  バッテリ
５  サーモスイッチ
６  停車時換気システム
７  空調システム
【図１】
0004463921.tif 000002